(57)【要約】【課題】高い強度構造を持つ電線端子を提供することにある。【解決手段】電線端子２の接続部２ａは、中間部２ｃから直角方向に下方に折り曲げられ、この折曲部には補強のために内側に膨らむリブ２ｄが形成されている。また、折り曲げられた接続部２ａには、筒状接点２ｅが前方に突出されている。更に、中間部２ｃの両側には側壁２ｆが立ち上げられており、この側壁２ｆは角部を有する中間部２ｃに沿って折り曲げられていることで中間部２ｃが補強されている。また、接続部２ａの両側には、保持体の端子挿入孔に係止するための係止部２ｇが形成されている。【選択図】図３
2008262838.tif 000002
【特許請求の範囲】
【請求項１】
合成樹脂製の保持体中に先端部を挿入して、ピン端子と接続する電線端子であって、前記ピン端子と接続する接続部を有する先端部を中間部から直角方向に折り曲げ、前記中間部の後方に電線を圧接接続するための圧着部を有し、前記先端部の折曲部に補強用リブを形成したことを特徴とする電線端子。
【請求項２】
前記中間部の両側に側壁を設けたことを特徴とする請求項１に記載の電線端子。
【請求項３】
前記接続部は円筒接点とし、前記ピン端子を前記円筒接点に挿入することにより接続することを特徴とする請求項１に記載の電線端子。
【請求項４】
前記先端部は前記保持体の端子挿入孔に係止するための係止部を設けたことを特徴とする請求項１に記載の電線端子。
【発明の詳細な説明】
【技術分野】
【０００１】
本発明は、例えば自動車のハーネス回路において使用する電線端子に関するものである。
【背景技術】
【０００２】
ハーネス回路においては、幹線から複数の枝線を分岐する必要が屡々あり、従来では、各種の方法で接続を行っている。そのために、幹線の一部の被覆を剥ぎ取り、露出した導体に枝線を圧着加工し分岐するスプライスジョイント方式と、幹線の端末部に回路分岐用コネクタを配し、幹線、枝線共に汎用コネクタ及び圧着端子を使用して分岐加工する例えば特許文献１に記載のジョイントコネクタ方式との２通りの方式が多く用いられている。
【０００３】
前者のスプライスジョイント方式では、電線を１〜３本毎に圧着加工しなければならず、それらの加工後の状態では作業性が非常に悪いという問題があり、また製造ライン上で圧着加工することが困難なので、ライン生産には不向きである。
【０００４】
そこで、このスプライスジョイント方式の問題点を解決するものとして、後者のジョイントコネクタが開発されている。このジョイントコネクタ方式では、ハーネス製造ライン上でのジョイント加工が可能となるため、スプライスジョイント方式と比較して生産効率が向上し、ハーネス回路の修正にも対応可能である。しかし、コネクタ及び嵌合する相手側汎用コネクタ、バスバー、接続端子などの部品点数が多くなることから、ハーネス回路の組立には時間を要するのが実状である。
【０００５】
特に、特許文献１に開示されているジョイントコネクタ方式においても、省スペース化、更なる作業性の向上、構造の簡素化、電流容量の増大など、解決しなければならない課題が多々ある。
【０００６】
【特許文献１】特開２００５−７１６１４号公報
【発明の開示】
【発明が解決しようとする課題】
【０００７】
本出願人は特願２００５−３１２７７４号において、合成樹脂から成る柱状の保持体を用いたハーネス接続体を提案している。しかし、このハーネス接続体に使用する電線端子は、中間において屈曲を伴うので、十分な強度がなかなか得られない。
【０００８】
本発明の目的は、上述の課題を解消し、高い強度構造を持つ電線端子を提供することにある。
【課題を解決するための手段】
【０００９】
上述の目的を達成するための本発明に係る電線端子の技術的特徴は、合成樹脂製の保持体中に先端部を挿入して、ピン端子と接続する電線端子であって、前記ピン端子と接続する接続部を有する先端部を中間部から直角方向に折り曲げ、前記中間部の後方に電線を圧接接続するための圧着部を有し、前記先端部の折曲部に補強用リブを形成したことにある。
【発明の効果】
【００１０】
本発明に係る電線端子は、屈曲部があるにも拘らず、十分な強度を有する。
【発明を実施するための最良の形態】
【００１１】
本発明を図示の実施例に基づいて詳細に説明する。
ハーネス接続体は、主として図１に示すピン挿入孔１ａ、長溝１ｂ、端子挿入孔１ｃを有する合成樹脂材から成る２つ割りの保持体１、１’と、保持体１、１’の端子挿入孔１ｃに挿入する接続部２ａ、電線３の芯線を圧着接続した圧着部２ｂを有する複数個の電気端子２と、電気端子２同士を接続するためのピン端子４と、保持体１、１’に周設するカバー部材５とから構成されている。
【００１２】
保持体１、１’は図２に示すように長手方向に沿って同形状に２つ割りされた部材から成り、これらの合わせ目に沿って長手方向に鳩尾条１ｄ、鳩尾溝１ｅが形成され、両者を互いに摺動させて一体化できるようにされている。２つ割り部材を合わせた保持体１、１’は略円柱体であり、保持体１、１’の中心軸を貫通しピン端子４を挿入するためのピン挿入孔１ａが設けられ、保持体１、１’の表面に長手方向に沿って、例えば計４個の断面略半円形の長溝１ｂが形成されている。
【００１３】
更に、長溝１ｂの底部には、各長溝１ｂごとに単数又は複数個の端子挿入孔１ｃが形成され、保持体１、１’の内部において中心のピン挿入孔１ａと連通するようにされ、各端子挿入孔１ｃは電気端子２の接続部２ａが挿入し得るように形成されている。
【００１４】
保持体１、１’の両端外面の長溝１ｂを除く部分に、カバー部材５の端部を係止するための突環部１ｆが環状に形成され、更にそれぞれの長溝１ｂ間の突部の一部には長手方向に沿って凸条部１ｇが設けられている。そして、突環部１ｆの内端側は壁部とされ、外端側は傾斜面とされている。なお、この突環部１ｆは円環状でなくとも、保持体１、１’の端部の適宜の個所に形成するようにしてもよい。
【００１５】
電気端子２は１枚の導電金属板を打ち抜いて形成されており、図３は電線３を接続していない状態の電線端子２を示し、（ａ）斜視図、（ｂ）正面図、（ｃ）背面図、（ｄ）平面図、（ｅ）底面図、（ｆ）右側面図、（ｇ）断面図を示している。図４は変形例の同様の電線端子２を示している。
【００１６】
電線端子２の接続部２ａは、中間部２ｃから直角方向に下方に折り曲げられ、この折曲部には補強のために内側に膨らむリブ２ｄが形成されている。また、折り曲げられた接続部２ａには、筒状接点２ｅが前方に突出されている。更に、中間部２ｃの両側には側壁２ｆが立ち上げられており、この側壁２ｆは角部を有する中間部２ｃに沿って折り曲げられていることで中間部２ｃが補強されている。また、接続部２ａの両側には、電線端子２を保持体１、１’の端子挿入孔１ｃに係止するための係止部２ｇが形成されている。
【００１７】
ピン端子４は図５の断面図に示すように、導電金属板を四角状に屈曲して複数層に形成すると、十分に補強され好適に使用できる。なお、金属棒を加工して用いてもよいし、その断面形状は丸型であってもよい。
【００１８】
カバー部材５は硬質合成樹脂から成る円筒体とされ、その内径は挿着すべき保持体１、１’の外径とほぼ同等か稍々小さくされている。カバー部材５の長手方向に割りスリット５ａが設けられ、割りスリット５ａを拡開することができるようになっている。また、割りスリット５ａの両端には切込み５ｂが設けられている。更に、割りスリット５ａの中間には保持体１の凸条部１ｇに嵌合する凹形部５ｃが設けられている。更に、割りスリット５ａの反対側には、保持体１’の他方の凸条部１ｇが嵌合するスリット部５ｄが設けられている。
【００１９】
組立に際しては、図６に示すように２つ割り部材を合体した保持体１、１’の端子挿入孔１ｃに、図１の矢印で示すように電線３を圧着部２ｂで接続した電気端子２の接続部２ａを挿入し、長溝１ｂに沿って電線３を装着する。接続部２ａの周囲の縁部はピン挿入孔１ａの径とほぼ一致しているので、図７に示すように接続部２ａはピン挿入孔１ａ内において安定して装着され、筒状接点２ｅの中心はピン挿入孔１ａの中心と一致する。なお、このとき接続部２ａの両側に設けた係止部２ｇにより、挿入した電線端子２が脱落しないように係止される。
【００２０】
この状態において、治具を用いてピン端子４をピン挿入孔１ａに挿入すると、ピン端子４はそれぞれの電気端子２の接続部２ａの接点２ｅ内を貫通し、全ての電気端子２がピン端子４によって短絡されるため、全ての電線３は互いに導通することになる。
【００２１】
このカバー部材５を保持体１、１’に装着するには、切込み５ｂを利用して割りスリット５ａを開いて複数本の電線３を挿通する。その後にカバー部材５を保持体１、１’まで移動し、図８に示すように保持体１、１’の一方の突環部１ｆを乗り越えて、突環部１ｆ内に嵌合すると共に、凸条部１ｇに凹形部５ｃを嵌合すると共に、反対側の凸条部１ｇにスリット部５ｄを嵌合することにより、図９に示す装着完了状態となり、カバー部材５は保持体１、１’に対して長手方向にも回転方向にも移動しなくなる。
【図面の簡単な説明】
【００２２】
【図１】ハーネス接続体の分解斜視図である。
【図２】保持体を分割した状態の斜視図である。
【図３】電線端子の斜視図、正面図、背面図、平面図、底面図、右側面図、断面図である。
【図４】電線端子の変形例の斜視図、正面図、背面図、平面図、底面図、右側面図、断面図である。
【図５】ピン端子の断面図である。
【図６】組立体の斜視図である。
【図７】保持体に電気端子を挿入した状態の断面図である。
【図８】カバー部材の装着過程の斜視図である。
【図９】カバー部材を装着した状態の斜視図である。
【符号の説明】
【００２３】
１、１’  保持体
１ａ  ピン挿入孔
１ｂ  長溝
１ｃ  端子挿入孔
２  電気端子
２ａ  接続部
２ｂ  圧着部
２ｃ  中間部
２ｄ  リブ
２ｅ  筒状接点
２ｆ  側壁
２ｇ  係止部
３  電線
４  ピン端子
５  カバー部材
【図１】
2008262838.tif 000003
【図２】
2008262838.tif 000004
【図３】
2008262838.tif 000005
【図４】
2008262838.tif 000006
【図５】
2008262838.tif 000007
【図６】
2008262838.tif 000008
【図７】
2008262838.tif 000009
【図８】
2008262838.tif 000010
【図９】
2008262838.tif 000011